(57)【要約】      （修正有）【課題】洗濯バサミを開ける時の力を軽減すると共に、洗濯バサミの挟持部が開いた状態を維持し、閉じる時も挟持部を摘むだけで簡単に閉じる事が出来る洗濯バサミを提供する。【解決手段】洗濯バサミ１を挟むために使用しているＣ字型バネ５の力を利用して、洗濯バサミ１を開けるときに洗濯バサミ１を開けるための力を軽減すると共に、挟持部４が開いた状態を維持できるようにし、洗濯バサミ１を閉じる時も片手で洗濯物を挟めるように簡単に閉じる事ができるように、前記バネ５の先端部分７が接する面に前記バネ５が挟持部４から把持部３方向、把持部３から挟持部４方向にそれぞれ支軸８を越えて移動出来るようガイド６となる溝を付け、前記バネ５の先端は移動しやすいような形状、例えば丸めた形状をなし、前記バネ５が移動できる仕組みを有する。【選択図】図１
2013085945.tif 000002
【特許請求の範囲】
【請求項１】
支軸（８）を視点にして教示面（２）が開くと共に開いた状態が維持出来るように、開口部（１０）を通してＣ形のバネ（５）の両端が洗濯バサミの挟持面（２）が合致するようにＣ形のバネ（５）が移動できるように取り付けたことを特徴とするアシスト付き洗濯バサミ。
【発明の詳細な説明】
【技術分野】
【０００１】  本発明は洗濯物を挟む時に、把持部を摘む力を補助する機構と、挟持部が開いた状態を維持できる機構を備えた洗濯バサミに関するものである。
【技術背景】
【０００２】  従来の洗濯バサミは、指で把持部を摘み洗濯バサミを開くが指を離すと閉じてしまう。
洗濯物を挟むときには指で把持部を摘みバネの力に抗して洗濯バサミの挟持部を開き続け洗濯物を挟持面に差し入れ把持部から指を離すことで洗濯バサミが閉じられ挟持部に挟んでいた。洗濯バサミのバネは洗濯物が外れないように強い力で押さえているために、洗濯バサミを開くときは強い力を必要とする。また洗濯物を挟持面に差し入れ洗濯物が挟持部に挟まるまで把持部を摘み続けなければならないので、力の弱い高齢者や女性、身体に障害がある方、リュウマチの方などには辛い作業となる。
【先行技術文献】
【０００３】
【特許文献１】特許公開２００８−６２５０
【特許文献２】特許公開２００５−２８０７２
【実用登録新案広報】
３０７６４５６号
【発明の概要】
【発明が解決しようとする課題】
【０００４】  本発明は洗濯バサミの挟持部を開ける時の力を軽減すると共に、洗濯バサミの挟持部が開いた状態を維持出来る洗濯バサミを提供する事を目的とする。
【課題を解決するための手段】
【０００５】  本発明は洗濯バサミを挟むために使用しているＣ形のバネの力を利用して、洗濯バサミを開けるときに洗濯バサミを開けるための力を軽減すると共に、挟持部が開いた状態を維持できるように洗濯バサミの前記バネの先端部分が接する面に前記バネが移動出来るようガイドとなる溝を設け、前記バネの先端は移動しやすいような形状、例えば丸めた形状をなし、前記バネが支軸を越えて移動できる仕組みを有する事を特徴としている。
【発明の効果】
【０００６】  従来の洗濯バサミは、指で把持部を摘み洗濯バサミを開くが指を離すと閉じてしまう。
洗濯物を洗濯バサミに挟むときは、指で把持部を摘みバネの力に抗して挟持部を開き続け洗濯物を挟持面に差し入れ把持部から指を離すことで洗濯バサミが閉じられ挟持部に挟んでいた。洗濯バサミのバネは洗濯物が外れないように強い力で押さえているために洗濯バサミを開くときは強い力を必要とする。また洗濯物が挟持面に入り挟持部に挟まるまで把持部を摘み続けなければならないので、力の弱い高齢者や女性、身体に障害がある方、リュウマチの方などには辛い作業となる
【発明を実施するための形態】
【０００７】  本発明は洗濯バサミ本体（１）のＣ形のバネ（５）の先端（７）を円状に丸め、バネ（５）の先端（７）が洗濯バサミに接する洗濯バサミ側面にバネ（５）がスムーズに移動できるようガイド（６）となる溝を設けることにより、洗濯バサミの把持部（３）を摘み挟持部（４）が開くときに洗濯バサミの支軸を起点とした時に挟持部寄りの面（１２）の角度が、把持部寄りの面（１３）より徐々に大きくなり挟持部寄りの面（１２）から把持部寄りの面（１３）に向かって傾斜が与えられるために、バネ（５）が挟持部（４）から把持部（３）に向かって支軸を越えて移動する。このためバネが支軸（８）に向かうほどテコの原理により、作用点であるバネ（５）の先端（７）が支点である支軸（８）に近づくほど力点である把持部（３）を摘む力が小さくなり、支点となる支軸（８）を越えるとバネ（５）だけの力で洗濯バサミが開くようになる。またバネ（５）が支軸（８）を越えるとバネ（５）は支軸（８）より上の把持部寄りの面（１３）に留まり把持部寄りの面（１３）を押さえることにより、洗濯バサミの挟持部（４）が開いた状態を維持出来るようになる。そのため洗濯バサミを使用するときに把持部（３）を摘む力が軽減されると共に、挟持部（４）が開いている状態で洗濯物を洗濯バサミの挟持面（２）に差し入れる事が出来き、挟持部を摘むことで上記テコの原理により、把持部寄りの面（１３）から挟持部寄りの面（１２）にバネ（５）が移動するので洗濯物を楽に洗濯バサミに挟む事ができる。また洗濯物を干す時に指で洗濯バサミを開いて維持したまま洗濯物を挟持面（２）に差し入れて挟んで閉じるという動作をせずとも開くだけ、または閉じるだけの動作になるので力の弱い高齢者や女性、身体に障害がある方、リュウマチの方などにも便利に使用することができる。
【０００８】［特許文献１］特許公開２００８−６２５０［特許文献２］特許公開２００５−２８０７２［特許文献３］特許公開２００１−１４９６９４のように洗濯バサミの把持部に把持部の左右内側に爪や開放維持具等を設け互いの爪が引っ掛かり合い、または開放維持具に差し込む方法で洗濯バサミの挟持部が開いた状態を保てるようにした洗濯バサミがあるが、これらの方法は爪同士を引っ掛ける、または開放維持具に差し込むためには相当強い力を必要とするため力の弱い高齢者や女性、身体に障害がある方、リュウマチの方には不向きである。また本発明のように洗濯バサミを開く力を軽減できるものではないばかりか、返って従来の洗濯バサミよりも力を必要とするものになってしまう。
【図面の簡単な説明】
【０００９】
【図１】本発明の閉じた状態の斜視図
【図２】本発明の開いた状態の斜視図
【図３】本発明の閉じた状態の正面図
【図４】本発明の開いた状態の正面図
【本発明を実施するための形態】
【００１０】（イ）洗濯バサミのＣ形のバネ（５）がスムーズに移動出来るようにバネの先端（７）を丸める。
（ロ）バネ（５）の先端（７）が洗濯バサミと接する面（１４）にバネ（５）がスムーズに移動出来るようにガイド（６）となる溝を設ける。
（ハ）バネ（５）が把持部（３）側から挟持部（４）側に移動した時に溝を越えてバネ（５）が外れないようにガイド（６）にストッパーとなる壁（９）などを設ける。
（ニ）バネ（５）が挟持部（４）側から把持部（３）側に移動した時にはバネ（５）が移動するために開口してある穴の上端（１５）にバネ（５）がぶつかる事により、バネ（５）が外れるのを防ぐ事ができる。
本発明は以上のような構造である。
本発明を使用する時は、洗濯物を本発明に挟む時はあらかじめ把持部（３）を摘み挟持部（４）を開き挟持部（４）が開いた状態［図２］を維持しておき、洗濯物を挟持面（２）に差し入れ挟持部（４）を摘み洗濯バサミを閉じて洗濯物を挟む。洗濯物を洗濯バサミから外す時は、把持部（３）を摘み、挟持部（４）を開き洗濯物を外す。開いた挟持部は次回洗濯物を挟む時に備えてそのまま開いた状態にしておく。
【符号説明】
（１）洗濯バサミ本体
（２）挟持面
（３）把持部
（４）挟持部
（５）Ｃ形のバネ
（６）ガイド
（７）Ｃ形のバネ先端
（８）支軸
（９）ストッパーとなる壁
（１０）Ｃ形のバネが移動するための開口部
（１１）穴
（１２）挟持部寄りの面
（１３）把持部寄りの面
（１４）バネの先端が洗濯バサミと接する面
（１５）Ｃ形のバネが移動するための開口部上端
【図１】
2013085945.tif 000003
【図２】
2013085945.tif 000004
【図３】
2013085945.tif 000005
【図４】
2013085945.tif 000006